(57)【要約】【課題】携帯用情報機器の筐体に装着することができるペン、該ペンと携帯用情報機器とを備えた電子機器及び前記ペンを装着可能な筐体を備えた携帯用情報機器を提供する。【解決手段】ペン１０は、先端に入力部２８ａを設けた軸部２８と、軸部２８の外周面との間に被挟持体を挟み込むクリップ部３０とを有し、携帯用情報機器１４の入力手段となるものである。そして、クリップ部３０と軸部２８の外周面との間の間隔Ｇを拡縮可能な可動機構３２を備える。そして、携帯用情報機器１４の右側面１８ａに設けられた差込穴１２にクリップ部３０を差し込むことで、携帯用情報機器１４の筐体１８に対してペン１０を装着保持することができる。【選択図】図６
2017097588.tif 000002
【特許請求の範囲】
【請求項１】
先端に入力部を設けた軸部と、該軸部の外周面との間に被挟持体を挟み込むクリップ部とを有し、携帯用情報機器の入力手段となるペンであって、
前記クリップ部と前記軸部の外周面との間の間隔を拡縮可能な可動機構を備えることを特徴とするペン。
【請求項２】
請求項１記載のペンにおいて、
充電式の二次電池が内蔵されており、
前記二次電池の充電用の端子が前記クリップ部に設けられていることを特徴とするペン。
【請求項３】
請求項１又は２記載のペンにおいて、
前記可動機構は、互いに対向配置され、前記クリップ部と前記軸部の外周面との間を連結する一対の板状部材を有し、
前記一対の板状部材は、前記軸部の外周面に対して横臥した姿勢と起立した姿勢とに姿勢変化可能であることを特徴とするペン。
【請求項４】
請求項１又は２記載のペンにおいて、
前記可動機構は、前記軸部の軸中心から偏心した位置に回動軸が設けられ、前記クリップ部を前記軸部の外周面上で旋回可能に支持する回転部材を有することを特徴とするペン。
【請求項５】
請求項１〜４のいずれか１項に記載のペンと、前記携帯用情報機器とを備えた電子機器であって、
前記携帯用情報機器は、その一側面に前記クリップ部を差し込む差込穴が設けられると共に、該差込穴と、前記一側面と交差する他側面との間に、前記クリップ部と前記軸部の外周面との間で挟持される壁部を有する筐体を備えることを特徴とする電子機器。
【請求項６】
先端に入力部を設けた軸部と、該軸部の外周面との間に被挟持体を挟み込むクリップ部とを有したペンを装着可能な筐体を備えた携帯用情報機器であって、
前記筐体は、その一側面に前記クリップ部を差し込む差込穴が設けられると共に、該差込穴と、前記一側面と交差する他側面との間に、前記クリップ部と前記軸部の外周面との間で挟持される壁部を有することを特徴とする携帯用情報機器。
【請求項７】
請求項６記載の携帯用情報機器において、
前記差込穴は、前記ペンよりも細径に構成された細ペンを挿入可能なペン収納穴と兼用可能であることを特徴とする携帯用情報機器。
【請求項８】
請求項６記載の携帯用情報機器において、
前記筐体は、前記一側面に前記差込穴と連通して開口し、前記ペンよりも細径に構成された細ペンを挿入可能なペン収納穴を備えることを特徴とする携帯用情報機器。
【請求項９】
請求項６〜８のいずれか１項に記載の携帯用情報機器において、
前記差込穴には、前記ペンのクリップ部に設けられた充電用の端子と接触する通電端子が設けられていることを特徴とする携帯用情報機器。
【発明の詳細な説明】
【技術分野】
【０００１】
本発明は、携帯用情報機器の入力手段となるペン、該ペンと携帯用情報機器とを備えた電子機器及び前記ペンを装着可能な筐体を備えた携帯用情報機器に関する。
【背景技術】
【０００２】
ノートブック型パーソナルコンピュータ（ノート型ＰＣ）、タブレット型パーソナルコンピュータ（タブレット型ＰＣ）、及びスマートフォン等の携帯用情報機器では、入力デバイスとしてペン（スタイラス）を用いることがある。
【０００３】
このようなペンは、持ち運びや収納等の観点から非使用時には機器の筐体に装着できることが望ましい。そこで、例えば特許文献１には、タブレット型ＰＣの筐体にペンを挿入して収納する細径長尺な収納穴を備えた構成が開示されている。
【先行技術文献】
【特許文献】
【０００４】
【特許文献１】特開平６−１１０５９５号公報
【発明の概要】
【発明が解決しようとする課題】
【０００５】
ところで、上記のような携帯用情報機器の筐体は薄型化が急速に進んでいる。このため、上記特許文献１のように筐体にペン全体を挿入して収納する収納穴は、外径の細いペンであれば対応可能であるものの、外径がある程度太くて持ち易い形状のペンに対応することが難しくなってきている。換言すれば、従来のペンは携帯用情報機器の収納穴に全体を挿入して収納することを前提としていることが一般的であるため、薄型化の図られた筐体に対して保持させることができないという問題がある。
【０００６】
本発明は、上記従来技術の課題を考慮してなされたものであり、携帯用情報機器の筐体に装着することができるペン、該ペンと携帯用情報機器とを備えた電子機器及び前記ペンを装着可能な筐体を備えた携帯用情報機器を提供することを目的とする。
【課題を解決するための手段】
【０００７】
本発明に係るペンは、先端に入力部を設けた軸部と、該軸部の外周面との間に被挟持体を挟み込むクリップ部とを有し、携帯用情報機器の入力手段となるペンであって、前記クリップ部と前記軸部の外周面との間の間隔を拡縮可能な可動機構を備えることを特徴とする。
【０００８】
このような構成によれば、可動機構を介してクリップ部と軸部の外周面との間の間隔を変化させることができる。これにより、クリップ部を例えば使用者のシャツのポケットの布地やファイル等の薄い被挟持体に対して安定して保持させることができると共に、その使用対象となる携帯用情報機器に設けられた壁部のような厚みのある被挟持体に対しても安定して保持することができる。このため、筐体が薄型化され、太径の軸部を持ったペンを挿入する収納穴を形成することができない携帯用情報機器に対しても当該ペンを安定して装着することができ、高い利便性が得られる。
【０００９】
充電式の二次電池が内蔵されており、前記二次電池の充電用の端子が前記クリップ部に設けられた構成であってもよい。そうすると、例えば当該ペンを携帯用情報機器の筐体に装着した状態で、クリップ部に設けた端子を携帯用情報機器側の通電端子に接続し、二次電池の充電を行うことが可能となる。
【００１０】
前記可動機構は、互いに対向配置され、前記クリップ部と前記軸部の外周面との間を連結する一対の板状部材を有し、前記一対の板状部材は、前記軸部の外周面に対して横臥した姿勢と起立した姿勢とに姿勢変化可能な構成であってもよい。そうすると、簡素な構成でクリップ部を変位させる可動機構を構成できる。
【００１１】
前記可動機構は、前記軸部の軸中心から偏心した位置に回動軸が設けられ、前記クリップ部を前記軸部の外周面上で旋回可能に支持する回転部材を有する構成であってもよい。これによっても、簡素な構成でクリップ部を変位させる可動機構を構成できる。
【００１２】
本発明に係る電子機器は、上記構成のペンと、前記携帯用情報機器とを備えた電子機器であって、前記携帯用情報機器は、その一側面に前記クリップ部を差し込む差込穴が設けられると共に、該差込穴と、前記一側面と交差する他側面との間に、前記クリップ部と前記軸部の外周面との間で挟持される壁部を有する筐体を備えることを特徴とする。これにより、壁部をペンのクリップ部と軸部の外周面との間に挟み込んだ状態で該ペンを携帯用情報機器の筐体に対して安定して装着保持することができる。
【００１３】
本発明に係る携帯用情報機器は、先端に入力部を設けた軸部と、該軸部の外周面との間に被挟持体を挟み込むクリップ部とを有したペンを装着可能な筐体を備えた携帯用情報機器であって、前記筐体は、その一側面に前記クリップ部を差し込む差込穴が設けられると共に、該差込穴と、前記一側面と交差する他側面との間に、前記クリップ部と前記軸部の外周面との間で挟持される壁部を有することを特徴とする。これにより、壁部をペンのクリップ部と軸部の外周面との間に挟み込んだ状態で該ペンを携帯用情報機器の筐体に対して安定して装着保持することができる。
【００１４】
前記差込穴は、前記ペンよりも細径に構成された細ペンを挿入可能なペン収納穴と兼用可能な構成であってもよい。そうすると、使用者の好みや使用状況等に応じて太さの異なるペンと細ペンとを適宜利用することができ、しかもペンと細ペンのいずれを利用している場合にも筐体に装着保持させることができ、一層高い利便性が得られる。
【００１５】
前記筐体は、前記一側面に前記差込穴と連通して開口し、前記ペンよりも細径に構成された細ペンを挿入可能なペン収納穴を備える構成であってもよい。そうすると、ペンと細ペンを同時に筐体に装着保持することができ、一層高い利便性が得られる。
【００１６】
前記差込穴には、前記ペンのクリップ部に設けられた充電用の端子と接触する通電端子が設けられていてもよい。
【発明の効果】
【００１７】
本発明によれば、可動機構を介してクリップ部と軸部の外周面との間の間隔を変化させることができる。これにより、クリップ部を例えば使用者のシャツのポケットの布地やファイル等の薄い被挟持体に対して安定して保持させることができると共に、その使用対象となる携帯用情報機器に設けられた壁部のような厚みのある被挟持体に対しても安定して保持することができる。このため、筐体が薄型化され、太径の軸部を持ったペンを挿入する収納穴を形成することができない携帯用情報機器に対しても当該ペンを安定して装着することができ、高い利便性が得られる。
【図面の簡単な説明】
【００１８】
【図１】図１は、本発明の一実施形態に係るペンと、ペンを装着可能な差込穴を有する携帯用情報機器とを備えた電子機器の斜視図である。
【図２】図２は、携帯用情報機器の要部拡大斜視図である。
【図３】図３は、ペンのクリップ部を通常位置とした状態での正面図である。
【図４】図４は、図３に示すペンのクリップ部を突出位置とした状態での正面図である。
【図５】図５は、図４に示すペンを基端側から見た拡大斜視図である。
【図６】図６は、ペンの差込穴への装着動作を説明するために筐体の差込穴付近を拡大した平面断面図であり、図６（Ａ）は、ペンを差込穴に装着する直前の状態を示す図であり、図６（Ｂ）は、図６（Ａ）に示す状態からペンのクリップ部を差込穴内へと押し込んでペンを差込穴に装着した状態を示す図である。
【図７】図７は、ペンの差込穴への装着動作を説明するために筐体の差込穴付近を拡大した側面図であり、図７（Ａ）は、ペンを差込穴に装着していない状態を示す図であり、図７（Ｂ）は、ペンを差込穴に装着した状態を示す図である。
【図８】図８は、細ペンのペン収納穴への収納動作を説明するために筐体のペン収納穴付近を拡大した平面断面図であり、図８（Ａ）は、細ペンをペン収納穴に挿入する直前の状態を示す図であり、図８（Ｂ）は、図８（Ａ）に示す状態から細ペンをペン収納穴内へと押し込んで収納した状態を示す図である。
【図９】図９は、細ペンのペン収納穴への装着動作を説明するために筐体のペン収納穴付近を拡大した側面図であり、図９（Ａ）は、細ペンをペン収納穴に収納していない状態を示す図であり、図９（Ｂ）は、細ペンをペン収納穴に収納した状態を示す図である。
【図１０】図１０は、ペンと細ペンを同時に装着可能な構成例に係る筐体のペン収納穴付近を拡大した側面図であり、図１０（Ａ）は、ペン及び細ペンを装着していない状態を示す図であり、図１０（Ｂ）は、ペン及び細ペンを装着した状態を示す図である。
【図１１】図１１は、変形例に係るペンのクリップ部を通常位置とした状態での正面図である。
【図１２】図１２は、図１１に示すペンのクリップ部を突出位置とした状態での正面図である。
【図１３】図１３は、図１２に示すペンを基端側から見た拡大斜視図である。
【図１４】図１４は、太径のペンのみを装着可能な構成例に係る筐体のクリップ差込穴付近を拡大した側面図であり、図１４（Ａ）は、ペンを装着していない状態を示す図であり、図１４（Ｂ）は、ペンを装着した状態を示す図である。
【発明を実施するための形態】
【００１９】
以下、本発明に係るペンについて、このペンが装着される筐体を備えた携帯用情報機器を例示して好適な実施の形態を挙げ、添付の図面を参照しながら詳細に説明する。
【００２０】
図１は、本発明の一実施形態に係るペン１０と、ペン１０を装着可能な差込穴１２を有する携帯用情報機器１４とを備えた電子機器１６の斜視図であり、図２は、携帯用情報機器１４の要部拡大斜視図である。
【００２１】
ペン１０は、スタイラス（デジタイザペン）と呼ばれる入力手段であり、非使用時にはその使用対象となる携帯用情報機器１４の筐体１８の一側面（右側面１８ａ）に設けられた差込穴１２に装着保持することができる。本実施形態では、ペン１０をノート型ＰＣである携帯用情報機器１４に用いた構成を例示するが、本発明はノート型ＰＣ以外、例えばタブレット型ＰＣ、携帯電話、スマートフォン又は電子手帳等の各種携帯用情報機器に対して好適に適用できる。
【００２２】
以下では、携帯用情報機器１４について、図１における手前側を前側（前方）、奥側を後側（後方）と呼び、筐体１８の厚み方向を上下方向、幅方向を左右方向と呼んで説明する。
【００２３】
図１に示すように、携帯用情報機器１４は、図１に示すように、基部となる筐体１８に対してヒンジ２０を介して開閉可能に連結されたディスプレイ蓋体２２を備える。筐体１８の上面にはキーボード２４が設けられ、ディスプレイ蓋体２２の前面には液晶表示装置等で構成されたディスプレイ２６が設けられている。
【００２４】
図１及び図２に示すように、差込穴１２は、筐体１８の右側面１８ａの前端角部付近に開口形成されている。ペン１０の軸部２８の基端に設けられたクリップ部３０が差し込まれる部分である。差込穴１２と筐体１８の前側面１８ｂとの間には、後述する可動機構３２によって突出したペン１０のクリップ部３０で挟持される壁部１８ｃが形成されている。差込穴１２に対してクリップ部３０が挿入保持されたペン１０は、筐体１８の前側面１８ｂの外側で該前側面１８ｂに沿った状態に装着保持される（図６（Ｂ）参照）。差込穴１２は、筐体１８の他の側面に形成されていても勿論よい。
【００２５】
本実施形態の差込穴１２は、ペン１０よりも細径に構成された細ペン３４を挿入可能なペン収納穴３６としての機能も兼用する。ペン収納穴３６は、細ペン３４の軸部３８を挿入可能な深さ寸法を有し、その開口部には細ペン３４の突起部４０が収容される切欠部４２が形成されている。切欠部４２は、ペン収納穴３６の開口部から連続するように形成されたスリット状の開口である。
【００２６】
図３は、ペン１０のクリップ部３０を通常位置とした状態での正面図であり、図４は、図３に示すペン１０のクリップ部３０を突出位置とした状態での正面図である。また、図５は、図４に示すペン１０を基端側から見た拡大斜視図である。
【００２７】
図３〜図５に示すように、ペン１０は、人手によって把持されて携帯用情報機器１４の入力手段として使用されるものである。ペン１０は、先端に入力部２８ａを設けた円柱形状の軸部２８と、軸部２８の基端側に設けられたクリップ部３０とを備える。
【００２８】
軸部２８は細長い円柱形状であり、人手によって把持し易いようにある程度太径に形成されている。入力部２８ａはディスプレイ２６の画面上をタッチして所定の入力操作を行うための先端部分である。軸部２８はその内部に当該ペン１０の電源となる充電式の二次電池であるバッテリ装置４１を内蔵している。
【００２９】
クリップ部３０は、軸部２８の外周面との間に被挟持体を挟み込むことでペン１０を被挟持体に対して保持するための部分である。被挟持体は、例えば使用者のシャツのポケットの薄い布地や薄いファイル等であり、本実施形態の場合は携帯用情報機器１４の差込穴１２を形成する壁部１８ｃも含まれる。クリップ部３０の内面には軸部２８に内蔵されたバッテリ装置４１と電気的に接続された一対の端子４３，４３が露出している（図５参照）。一対の端子４３，４３は、ペン１０のクリップ部３０が差込穴１２に差し込まれた際、携帯用情報機器１４側の壁部１８ｃの内面に設けられた一対の通電端子４４，４４と接続される（図６参照）。
【００３０】
クリップ部３０は、軸部２８の基端部外周面の一部から外径方向に突出した可動機構３２を介して軸部２８と連結されている。可動機構３２は、クリップ部３０を軸部２８の外周面から垂直方向に持ち上げて平行移動させることで、クリップ部３０と軸部２８の外周面との間の間隔Ｇを拡縮する機構である。可動機構３２は、クリップ部３０と軸部２８の外周面との間を連結する一対の板状部材４６ａ，４６ｂを有する。
【００３１】
各板状部材４６ａ，４６ｂは、例えばステンレス等で形成され、互いに線対称に対向配置された湾曲形状の板ばね状の薄板である。各板状部材４６ａ，４６ｂは、一端が軸部２８に対して回動可能に軸支され、他端がクリップ部３０に対して回動可能に軸支されている。これにより各板状部材４６ａ，４６ｂは、軸部２８の外周面に対して両者が同一方向に横臥した姿勢（図３参照）と、軸部２８の外周面から両者が起立した姿勢（図４及び図５参照）とに姿勢変化可能である。
【００３２】
このようなペン１０では、図３に示すように各板状部材４６ａ，４６ｂが横臥した姿勢でクリップ部３０は軸部２８の外周面に近接した通常位置となり、間隔Ｇが狭小となる。その結果、例えば使用者のシャツのポケットの布地やファイルのような薄い被挟持体をクリップ部３０と軸部２８の外周面との間に安定して挟み込むことができる。
【００３３】
一方、図４に示すように各板状部材４６ａ，４６ｂが起立した姿勢でクリップ部３０は軸部２８の外周面から離間した突出位置となり、間隔Ｇが拡大される。その結果、携帯用情報機器１４の差込穴１２の壁部１８ｃのように厚みのある被挟持体をクリップ部３０と軸部２８の外周面との間に安定して挟み込むことができる。
【００３４】
次に、ペン１０の筐体１８の差込穴１２に対する装着動作について説明する。
【００３５】
図６は、ペン１０の差込穴１２への装着動作を説明するために筐体１８の差込穴１２付近を拡大した平面断面図であり、図６（Ａ）は、ペン１０を差込穴１２に装着する直前の状態を示す図であり、図６（Ｂ）は、図６（Ａ）に示す状態からペン１０のクリップ部３０を差込穴１２内へと押し込んでペン１０を差込穴１２に装着した状態を示す図である。また、図７は、ペン１０の差込穴１２への装着動作を説明するために筐体１８の差込穴１２付近を拡大した側面図であり、図７（Ａ）は、ペン１０を差込穴１２に装着していない状態を示す図であり、図７（Ｂ）は、ペン１０を差込穴１２に装着した状態を示す図である。
【００３６】
ペン１０を差込穴１２を用いて筐体１８に装着する際は、図６（Ａ）に示すように入力部２８ａを先頭とし、軸部２８を筐体１８の前側面１８ａの外側に向かって移動させつつクリップ部３０を差込穴１２に挿入する。この際、可動機構３２を介してクリップ部３０を突出位置に設定し、クリップ部３０と軸部２８の外周面との間の間隔Ｇを壁部１８ｃを挟持可能な幅に拡大しておく。
【００３７】
図６（Ｂ）及び図７（Ｂ）に示すように、クリップ部３０の差込穴１２への挿入が完了すると、可動機構３２の板状部材４６ａ，４６ｂが切欠部４２に配置され、突出位置に設定されたクリップ部３０と軸部２８の外周面との間に壁部１８ｃが挟み込まれる。これにより、ペン１０は軸部２８が筐体１８の前側面１８ｂに沿って配置され、クリップ部３０を介して筐体１８に装着保持される（図６（Ｂ）参照）。つまり、ペン１０がクリップ部３０によって筐体１８の壁部１８ｃに対して引っ掛け保持される。また、ペン１０を差込穴１２に装着した状態では、クリップ部３０の内面に設けられた各端子４３が壁部１８ｃ（差込穴１２）の内面に設けられた各通電端子４４と接続される。その結果、ペン１０のバッテリ装置４１に対して携帯用情報機器１４側の図示しないバッテリ装置や電源装置からの充電用の電力を供給することができる。さらに本実施形態では、差込穴１２の側部に、壁部１８ｃの端部を切り欠いたように設けられ、該差込穴１２と連通する切欠部４２を設けている。このため、ペン１０を筐体１８に装着した状態で板状部材４６ａ，４６ｂが切欠部４２に配置されるため、ペン１０が筐体１８の右側面１８ａの外側に飛び出した状態となることが防止される（図６（Ｂ）参照）。
【００３８】
このように差込穴１２に装着したペン１０を取り外す際は、例えば軸部２８を把持してクリップ部３０を差込穴１２から引き抜けばよい。その後は、クリップ部３０をペン１０の軸方向先端側に押圧しつつ軸部２８の外周面に向かって押し下げる。そうすると、図３に示すように可動機構３２を介してクリップ部３０が再び通常位置に設定される。その結果、クリップ部３０がペン１０の使用時に邪魔になることがなく、またクリップ部３０でファイル等の薄い被挟持体を安定して挟み込むことができるようになる。
【００３９】
上記したように、差込穴１２は、ペン１０よりも細径の細ペン３４を収納するペン収納穴３６としての機能も兼用する。そこで、次に、細ペン３４の筐体１８のペン収納穴３６に対する収納動作について説明する。
【００４０】
図８は、細ペン３４のペン収納穴３６への収納動作を説明するために筐体１８のペン収納穴３６付近を拡大した平面断面図であり、図８（Ａ）は、細ペン３４をペン収納穴３６に挿入する直前の状態を示す図であり、図８（Ｂ）は、図８（Ａ）に示す状態から細ペン３４をペン収納穴３６内へと押し込んで収納した状態を示す図である。また、図９は、細ペン３４のペン収納穴３６への装着動作を説明するために筐体１８のペン収納穴３６付近を拡大した側面図であり、図９（Ａ）は、細ペン３４をペン収納穴３６に収納していない状態を示す図であり、図９（Ｂ）は、細ペン３４をペン収納穴３６に収納した状態を示す図である。
【００４１】
図１及び図８（Ａ）に示すように、細ペン３４は、人手によって把持されて携帯用情報機器１４の入力手段として使用されるものである。細ペン３４は、先端に入力部３８ａを設けた円柱形状の軸部３８と、軸部３８の基端側に設けられた突起部４０とを備える。
【００４２】
軸部３８はペン１０の軸部２８よりも細径に形成された細長い円柱形状であり、ペン収納穴３６（差込穴１２）に挿入可能な外径を有する。入力部３８ａはディスプレイ２６の画面上をタッチして所定の入力操作を行うための先端部分である。図示はしないが、バッテリ装置４１と同様、軸部３８はその内部に当該細ペン３４の電源となる充電式の二次電池であるバッテリ装置を内蔵している。軸部３８の外周面には一対の端子４７，４７が露出している（図８（Ａ）参照）。
【００４３】
細ペン３４をペン収納穴３６に収納する際は、図８（Ａ）に示すように入力部３８ａを先頭とし、軸部３８をペン収納穴３６に挿入する。この際、突起部４０を切欠部４２に合わせて細ペン３４をペン収納穴３６へと押し込むことで、図８（Ｂ）及び図９（Ｂ）に示すように細ペン３４がペン収納穴３６に完全に収納される。また、細ペン３４をペン収納穴３６に収納した状態では、軸部３８の外周面に設けられた各端子４７が壁部１８ｃ（ペン収納穴３６）の内面に設けられた各通電端子４４と接続される。その結果、細ペン３４のバッテリ装置４１に対して携帯用情報機器１４側のバッテリ装置や電源装置からの充電用の電力を供給することができる。
【００４４】
このようにペン収納穴３６に収容した細ペン３４を該ペン収納穴３６から引き抜く際には、切欠部４２から筐体１８の前側面１８ｂ側に露出している突起部４０を指先又は爪で引っ掛け、ペン収納穴３６から細ペン３４を引き抜けばよい。
【００４５】
以上のように、本実施形態に係るペン１０は、先端に入力部２８ａを設けた軸部２８と、軸部２８の外周面との間に被挟持体を挟み込むクリップ部３０とを有し、携帯用情報機器１４の入力手段となるものである。そして、クリップ部３０と軸部２８の外周面との間の間隔Ｇを拡縮可能な可動機構３２を備える。
【００４６】
このように、ペン１０では可動機構３２を介してクリップ部３０と軸部２８の外周面との間の間隔を変化させることができる。これにより、クリップ部３０を例えば使用者のシャツのポケットの布地やファイル等の薄い被挟持体に対して安定して保持させることができると共に、携帯用情報機器１４の差込穴１２を形成する壁部１８ｃのような厚みのある被挟持体に対しても安定して保持することができる。このため、筐体１８が薄型化され、太径の軸部２８を持ったペン１０を挿入する収納穴を形成することができない携帯用情報機器１４に対してもペン１０を安定して装着することができ、高い利便性が得られる。
【００４７】
換言すれば、携帯用情報機器１４の筐体１８の側面（前側面１８ｂ）はその剛性や強度のためにある程度の板厚を有する必要があり、壁部１８ｃについても同様である。このため、可動機構３２を持たない従来構成のペンのクリップ部では、差込穴１２に対してクリップ部を円滑に挿入すること、及び安定して保持しておくことが困難であった。これに対して当該ペン１０では、可動機構３２によってクリップ部３０と軸部２８の外周面との間の間隔Ｇを拡縮できるため、ペン１０の装着対象に応じて間隔Ｇを適切に変化させることができ、特に厚みのある壁部１８ｃに対して確実にペン１０を装着保持することができる。
【００４８】
すなわち、このようなペン１０の使用対象となる携帯用情報機器１４は、その一側面である右側面１８ａにクリップ部３０を差し込む差込穴１２が設けられると共に、差込穴１２と、右側面１８ａと交差する他側面である前側面１８ｂとの間にクリップ部３０と軸部２８の外周面との間で挟持される壁部１８ｃを有する筐体１８を備える。これにより、差込穴１２及び壁部１８ｃに対してペン１０のクリップ部３０を円滑に且つ安定して保持させることができる。
【００４９】
また携帯用情報機器１４の差込穴１２は、ペン１０よりも細径に構成された細ペン３４を挿入可能なペン収納穴３６と兼用される。このため、使用者の好みや使用状況等に応じて太さの異なるペン１０と細ペン３４とを適宜利用することができ、しかもペン１０と細ペン３４のいずれを利用している場合にも筐体１８に装着保持させることができ、一層高い利便性が得られる。
【００５０】
なお、上記した構成では、図６（Ｂ）及び図８（Ｂ）から明らかなように、差込穴１２にペン１０を装着した状態では、この差込穴１２（ペン収納穴３６）に細ペン３４を同時に収納することができない。
【００５１】
そこで、例えば図１０（Ａ）に示すように、差込穴１２と前側面１８ｂとの間にクリップ部３０を差込可能に矩形に開口したクリップ差込穴（差込穴）５０を設けてもよい。またこの構成では、差込穴１２の前側面１８ｂとは反対側に切欠部４２と同様な形状の切欠部５２を追加しておき、この切欠部５２側の差込穴１２の内面に一対の通電端子４４，４４を追加しておくとよい。すなわち、この場合の筐体１８は、右側面１８ａにクリップ部３０の差込穴となるクリップ差込穴５０と連通して開口し、ペン１０よりも細径に構成された細ペン３４を挿入可能なペン収納穴３６を備えている。
【００５２】
これにより、図１０（Ｂ）に示すようにクリップ差込穴５０にペン１０のクリップ部３０を差し込んで壁部１８ｃを挟持することで、ペン１０を筐体１８に装着保持することができる。またこの状態でもクリップ部３０はペン収納穴３６（差込穴１２）側に飛び出していないため、細ペン３４をペン収納穴３６に対して収納することができる。つまり、このようなクリップ差込穴５０を設けた構成では、クリップ差込穴５０がクリップ部３０の差込穴として機能するため、ペン１０と細ペン３４を同時に筐体１８に装着保持することができる。
【００５３】
図１１は、変形例に係るペン１０Ａのクリップ部３０を通常位置とした状態での正面図であり、図１２は、図１１に示すペン１０Ａのクリップ部３０を突出位置とした状態での正面図である。また、図１３は、図１２に示すペン１０Ａを基端側から見た拡大斜視図である。
【００５４】
図３〜図５に示すペン１０の可動機構３２は一対の板状部材４６ａ，４６ｂを用いてクリップ部３０を可動させる構成であったが、図１１〜図１３に示すペン１０Ａは、クリップ部３０を軸部２８の外周面周りに旋回させる回転部材６０を有する可動機構３２Ａを備えた構成となっている。回転部材６０は、軸部２８の基端面に対して回転可能に軸支されてクリップ部３０を支持している。回転部材６０は、軸部２８の軸中心Ｃ１から偏心した位置に回動軸Ｃ２が設けられ、これによりクリップ部３０を軸部２８の外周面上で旋回可能に支持している。
【００５５】
従ってこのようなペン１０Ａでは、図１１に示すように回転部材６０を所定の回転位置とした場合にはクリップ部３０は軸部２８の外周面に近接した通常位置となり、間隔Ｇが狭小となる。一方、図１２及び図１３に示すように回転部材６０を回動軸Ｃ２周りに回転させてクリップ部３０を軸部２８の外周面上で旋回させることで、クリップ部３０が軸部２８の外周面から垂直方向に持ち上がって平行移動した状態となって離間した突出位置となり、間隔Ｇが拡大される。その結果、ペン１０Ａにおいても携帯用情報機器１４の差込穴１２の壁部１８ｃのように厚みのある被挟持体をクリップ部３０と軸部２８の外周面との間に安定して挟み込むことができる。
【００５６】
ところで上記した各構成例では、携帯用情報機器１４の筐体１８には、太径のペン１０（１０Ａ）と、これより細径の細ペン３４とを択一的に又は同時に装着可能な構成を例示したが、ペン１０（１０Ａ）のみを装着可能な構成としても勿論よい。この場合は、例えば図１４（Ａ）及び図１４（Ｂ）に示すように、クリップ部３０の差込穴として、図１０に示した構成と同様なクリップ差込穴５０と、このクリップ差込穴５０と前側面１８ｂとの間に形成される壁部１８ｃとを筐体１８に有していればよい。これにより、このクリップ差込穴５０を用いてペン１０（１０Ａ）を装着保持することができる。
【００５７】
なお、本発明は、上記した実施形態に限定されるものではなく、本発明の主旨を逸脱しない範囲で自由に変更できることは勿論である。
【００５８】
例えば上記実施形態では、クリップ部３０と軸部２８の外周面との間の間隔Ｇを拡縮する構成として可動機構３２，３２Ａを例示したが、これ以外の機構によって間隔Ｇを拡縮可能に構成しても勿論よい。
【符号の説明】
【００５９】
１０，１０Ａ  ペン
１２  差込穴
１４  携帯用情報機器
１６  電子機器
１８  筐体
１８ａ  右側面
１８ｂ  前側面
１８ｃ  壁部
２８，３８  軸部
２８ａ，３８ａ  入力部
３０  クリップ部
３２，３２Ａ  可動機構
３４  細ペン
３６  ペン収納穴
４１  バッテリ装置
４２，５２  切欠部
４３，４７  端子
４４  通電端子
４６ａ，４６ｂ  板状部材
５０  クリップ差込穴
６０  回転部材
Ｃ１  軸中心
Ｃ２  回動軸
Ｇ  間隔
【図１】
2017097588.tif 000003
【図２】
2017097588.tif 000004
【図３】
2017097588.tif 000005
【図４】
2017097588.tif 000006
【図５】
2017097588.tif 000007
【図６】
2017097588.tif 000008
【図７】
2017097588.tif 000009
【図８】
2017097588.tif 000010
【図９】
2017097588.tif 000011
【図１０】
2017097588.tif 000012
【図１１】
2017097588.tif 000013
【図１２】
2017097588.tif 000014
【図１３】
2017097588.tif 000015
【図１４】
2017097588.tif 000016